(57)【要約】【課題】取得する位置情報の精度を高めるとともに、位置情報を選択的に取得すること。【解決手段】照明装置が設置されている位置を示す位置情報により変調された光を当該照明装置から受光する受光部と、前記受光部に照射された光に基づく電気信号を復調して前記位置情報を取得する復調部と、前記受光部の受光面の全面を覆う形状の遮光部材を有し、当該遮光部材により前記受光面の全面が覆われている状態の遮光状態、あるいは、前記受光面が前記照明装置から照射された光を受光可能な状態の受光状態に切り換える遮光構造部と、を備えることを特徴とする携帯通信端末。【選択図】図１
2012083287.tif 000002
【特許請求の範囲】
【請求項１】
照明装置が設置されている位置を示す位置情報により変調された光を当該照明装置から受光する受光部と、
前記受光部に照射された光に基づく電気信号を復調して前記位置情報を取得する復調部と、
前記受光部の受光面の全面を覆う形状の遮光部材を有し、当該遮光部材により前記受光面の全面が覆われている状態の遮光状態、あるいは、前記受光面が前記照明装置から照射された光を受光可能な状態の受光状態に切り換える遮光構造部と、
を備えることを特徴とする携帯通信端末。
【請求項２】
前記遮光部材は、液晶シャッターであることを特徴とする請求項１に記載の携帯通信端末。
【請求項３】
前記液晶シャッターからなる前記遮光部材は、前記遮光状態における前記受光面の色と、前記受光状態における前記受光面の色とが異なることを特徴とする請求項２に記載の携帯通信端末。
【発明の詳細な説明】
【技術分野】
【０００１】
本発明は、照射光を用いて携帯通信端末の位置情報を取得する位置情報取得システムに用いられる携帯通信端末に関する。
【背景技術】
【０００２】
携帯通信端末には、例えば、ＧＰＳ（Ｇｌｏｂａｌ Ｐｏｓｉｔｉｏｎｉｎｇ Ｓｙｓｔｅｍ）を備え、これを用いて逐次現在地を取得することにより、携帯通信端末のユーザの行動を把握し、ユーザが存在する位置に適した情報を提供するシステムがある。しかし、ＧＰＳによる位置情報取得方法では、建物内や地下では利用できないあるいは精度が十分では無い場合があり、ユーザの位置を正確に把握できないという問題があった。これに対し携帯端末と複数基地局間の電波を手がかりに携帯通信端末の位置を推定する方法があるが、これ自体の精度も十分ではなかった。
そこで、照明装置から位置情報を含む照射光を照射し、最寄りの照明装置から照射光を受光した携帯通信端末が、受光した光に基づき位置情報を得て、現在位置を把握するものがある（例えば、特許文献１参照）。
【先行技術文献】
【特許文献】
【０００３】
【特許文献１】特開２００７−３３１２５号公報
【発明の概要】
【発明が解決しようとする課題】
【０００４】
しかしながら、ユーザとしても屋内における位置情報ほど詳細な情報を取得されることを望まない場合もある。例えば、ユーザの位置として、市町村範囲の単位で検出されていた場合ユーザの位置は一意に特定されていないが、番地や建物名、建物内の部屋等まで詳細な位置により特定された場合、ユーザのプライバシーが侵害されるおそれがある。
【０００５】
本発明は、このような問題点に鑑みてなされたものであり、取得する位置情報の精度を高めるとともに、位置情報を選択的に取得することができる携帯通信端末を提供することを目的とする。
【課題を解決するための手段】
【０００６】
上記問題を解決するために、本発明に係る携帯通信端末は、照明装置が設置されている位置を示す位置情報により変調された光を当該照明装置から受光する受光部と、前記受光部に照射された光に基づく電気信号を復調して前記位置情報を取得する復調部と、前記受光部の受光面の全面を覆う形状の遮光部材を有し、当該遮光部材により前記受光面の全面が覆われている状態の遮光状態、あるいは、前記受光面が前記照明装置から照射された光を受光可能な状態の受光状態に切り換える遮光構造部と、を備えることを特徴とする。
【０００７】
上記携帯通信端末において、前記遮光部材が、液晶シャッターであることを特徴とする。
【０００８】
上記携帯通信端末において、前記液晶シャッターからなる前記遮光部材は、前記遮光状態における前記受光面の色と、前記受光状態における前記受光面の色とが異なることを特徴とする。
【発明の効果】
【０００９】
本発明によれば、取得する位置情報の精度を高めるとともに、位置情報を選択的に取得することができる。
【図面の簡単な説明】
【００１０】
【図１】本発明に係る実施形態の情報提供システムの構成の一例を示すブロック図である。
【図２】本実施形態に係る照明装置と携帯通信端末の構成の一例を示すブロック図である。
【図３】本実施形態に係る受光面と遮光部材との一例を説明するための図である。
【図４】本実施形態に係る情報提供方法の一例を示すフローチャートを示す。
【図５】本実施形態に係る情報提供システムによる位置情報検出方法の一例を説明するための図である。
【図６】本実施形態に係る携帯通信端末の他の実施例について説明するための図である。
【発明を実施するための形態】
【００１１】
次に、本発明の実施の形態について図面を参照して詳細に説明する。
図１は本発明による情報提供システムの一実施の形態を示すブロック図である。図１において情報提供システムは、携帯通信端末１００と、照明装置２００と、照明制御装置３００と、情報提供サーバ４００と、通信ネットワーク５００とを備える。照明装置２００は、複数の照明装置２００ａ、２００ｂ、２００ｃ・・・を含み、これらの代表名として、照明装置２００を使用する。
【００１２】
まず、本発明の実施の形態の理解を助けるため、図１に示す情報提供システムの概要を説明する。
携帯通信端末１００は、情報提供サーバ４００と通信ネットワーク５００を介して通信すると共に、最寄りの照明装置２００から可視光通信によって位置情報（例えば、緯度、経度、高度により特定される位置を示す情報）を取得する。この照明装置２００は、各照明装置が設置されている位置を示す位置情報を含む可視光を放射しており、この可視光を受光した携帯通信端末１００が、最寄りにある照明装置２００の設置されている位置を示す位置情報を取得する。携帯通信端末１００は、位置情報を取得した場合、この位置情報を情報提供サーバ４００に送信する。
情報提供サーバ４００は、通信ネットワーク５００を介して携帯通信端末１００から位置情報を受信し、受信した位置情報を、情報提供サーバ４００が記憶している位置情報に対応するコンテンツと照合して、携帯通信端末１００の存在する位置に応じた提供コンテンツを検索する。その結果、情報提供サーバ４００は、携帯通信端末１００から受信した位置情報に対応するコンテンツを得た場合、そのコンテンツを携帯通信端末１００に送信する。
【００１３】
これにより、携帯通信端末１００は、位置情報に応じたコンテンツを受信する。つまり、携帯通信端末１００は、最寄りの照明装置２００からの可視光を受光することにより、例えば、携帯通信端末１００を所持するユーザの位置に応じたコンテンの提供を受けることができる。一方、照明装置２００からの可視光を受光することにより、携帯通信端末１００を所持するユーザの位置を位置情報により容易に把握することができる。
【００１４】
この携帯通信端末１００は、この照明装置２００からの可視光を受光しないための遮光構造を有しており、ユーザの操作によって遮光構造が利用されることにより、照明装置２００からの可視光の受光を選択的に拒否することができる。なお、遮光構造の詳細については後述する。
【００１５】
ユーザは、通常時、照明装置２００からの光を受信する受信部を露出させた状態で携帯通信端末１００を所持し移動する。例えば、照明装置２００ａの近傍をユーザが通過する場合、照明装置２００ａからの光が受光部に入射して、携帯通信端末１００は、照明装置２００ａが設定されている位置を示す位置情報を取得する。この位置情報により、ユーザの現在位置が把握される。
ユーザが移動を続け、携帯通信端末１００の受光部に照明装置２００ａからの光が届かないところまでくると、照明装置ａの照明範囲から外れるため、携帯通信端末１００は、位置情報を取得できない。
一方、他の照明装置２００ｂの照明範囲にユーザが移動した場合、携帯通信端末１００は、照明装置２００ｂからの光に基づき照明装置２００ｂが設置されている位置を示す位置情報を取得する。
【００１６】
このように、位置情報を取得できる照明範囲を絞って照明装置２００を多数配置すれば、より位置検出の分解能が上がる。一方で、ユーザが位置を把握されたくないと望む場合は、後述する遮光構造を利用して照明装置２００からの光を遮ることにより、容易に位置情報の取得を拒否することができる。
【００１７】
次に、各構成について説明する。
携帯通信端末１００は、プログラム制御により動作し、通信ネットワーク５００との接続が可能な、携帯電話機やＰＤＡ（Ｐｅｒｓｏｎａｌ Ｄｉｇｉｔａｌ Ａｓｓｉｓｔａｎｔ：携帯情報端末）などの通信装置である。構成の詳細について、後述する。
【００１８】
照明装置２００が、例えば、３台の照明装置２００ａ、２００ｂ、２００ｃを備える。照明装置２００ａ、２００ｂ、２００ｃは、それぞれ、一般的な照明装置であって、例えば道路上や施設内に設置される。この照明装置２００は、例えば複数のＬＥＤ（  Light Emitting Diode  ）を光源として用いており、通常の照明機能に加えて、光源を点滅させる等の変調を行って情報（たとえば、後述する位置情報）を送信する可視光通信機能を備えている。構成の詳細について、後述する。
【００１９】
照明制御装置３００は、プログラム制御により動作する情報処理装置であって、通信ネットワーク５００を介して情報提供サーバ４００から受信した制御情報に基づき、照明装置２００ａ、２００ｂ、２００ｃの点灯、点滅を制御する駆動信号を発生する。
情報提供サーバ４００からの制御情報は、それぞれの照明装置２００ａ、２００ｂ、２００ｃの設置されている位置に応じて予め割り当てられた位置情報を含む。ここで、位置情報は、同一位置（一定の範囲で示すものも含む）には、同一の位置情報が割り当てられており、携帯通信端末１００、照明装置２００、照明制御装置３００、情報提供サーバ４００において、共通に利用される固有の情報である。なお、本実施形態において、位置情報は、情報提供サーバ４００から照明制御装置３００に送信される一例について説明する。しかし本発明はこれに限られず、位置情報が各照明装置２００の記憶部に記憶されているものであってもよい。
【００２０】
情報提供サーバ４００は、プログラム制御により動作するワークステーション・サーバ等の情報処理装置であって、サーバ記憶部４０１と、サーバ制御部４０２と、サーバ通信部４０３とを含む。
サーバ記憶部４０１は、携帯通信端末１００の存在する位置に応じて配信されるコンテンツに位置情報を対応付けたコンテンツテーブルや、プログラム制御情報を記憶する。
サーバ制御部４０２は、コンテンツテーブルを参照して、携帯通信端末１００から受信した位置情報に対応するコンテンツを得る。言い換えると、コンテンツテーブルを検索して、位置情報と対応するコンテンツを得る。
サーバ通信部４０３は、携帯通信端末１００から送信された位置情報（照明装置２００からの位置情報）を受信する。このサーバ通信部４０３は、コンテンツテーブルの検索により得られた位置情報に対応する提供コンテンツを、当該位置情報を送信した携帯通信端末１００に送信する。
【００２１】
次に、図２を参照して、照明装置２００および携帯通信端末１００の構成の一例について説明する。ここでは、照明装置２００の一例として、照明装置２００ａについて説明する。図２は、照明装置２００と携帯通信端末１００の構成を詳しく説明する図である。
図２に示す通り、照明装置２００ａは、変調部２０１と、光源２０２と、照明記憶部２０３と、照明制御部２０４と、受信部２０５と、を備える。
変調部２０１は、電力線から供給される交流電圧を、照明制御部２０４から入力する位置情報により変調し、光源２０２に出力する。例えば、変調部２０１は、位置情報に基づいて光源２０２に対して、位置情報の基づく駆動信号の出力し、位置情報により変調された光が光源２０２から放射されるように制御する。
【００２２】
光源２０２は、変調部２０１からの出力に基づき変調された光を照射する。この変調された光は、人の眼には検出できないほど早く変化するので、人には通常の光と同じと認識される。なお、光源２０２としてＬＥＤを用いると、位置情報により変調された高速に変化する光を発生することができる。
照明記憶部２０３は、各照明装置２００が設置されている位置を示す位置情報を記憶する。
照明制御部２０４は、受信部２０５が受信した位置情報を照明記憶部２０３に記憶させる。この照明制御部２０４は、情報提供サーバ４００等から、位置情報とともに、当該位置情報を含む可視光を照射することを指示する制御信号を受信した場合、この制御信号が示す位置情報を変調部２０１に出力する。
受信部２０５は、通信ネットワーク５００を介して情報提供サーバ４００と接続されており、情報提供サーバ４００が送信する情報を受信する。
【００２３】
携帯通信端末１００は、遮光構造部１０１と、受光部１０２と、復調部１０３と、端末制御部１０４と、端末通信部１０５と、出力部１０６と、端末記憶部１０７とを備える。
遮光構造部１０１は、受光部１０２に入射する可視光を遮光する構造を有する。具体的には、遮光構造部１０１は、遮光部材１１１と、遮光部１１２とを含む。この遮光構造部１０１の一例について、図３を参照して説明する。図３は、受光部１０２の受光面１０２Aと遮光部材１１１とを関係を示す図である。
遮光部材１１１は、図３に示す通り、受光部１０２の受光面１０２Aに対応する全面を覆う形状の部材である。
【００２４】
遮光部１１２は、例えば、遮光部材１１１を移動可能に保持して、この遮光部材１１１を移動させることにより、受光部１０２の受光状態を切り換える。例えば、遮光部１１２は、遮光部材１１１が受光面１０２Aの全面を覆うような位置（図３に示す位置）に遮光部材１１１を位置させることで、遮光部材１１１により受光部１０２の全面が覆われている状態の遮光状態に切り変える。一方、遮光部材１１１が受光面１０２Aと重複しない位置に遮光部材１１１を位置させることで、受光部１０２が照明装置２００ａから照射された光を受光可能な状態の受光状態に切り換える。なお、この切り替えは、遮光部材１１１がユーザにより手動で位置を移動されることにより実行される。
これにより、この遮光部材１１１が受光面１０２Aの全面を覆い隠す位置に位置されている場合、照明装置２００から受光部１０２への可視光を遮光する。一方、この遮光部材１１１が受光面１０２Aを覆い隠さない位置に位置されている場合、受光部１０２は、照明装置２００からの可視光を受光する。
【００２５】
この遮光部１１２は、ユーザが遮光部材１１１を手作業で動かすことによりその位置を変更するように遮光部材１１１を保持する構造であってもよい。また、遮光構造部１０１は、スイッチやボタン等の操作部が押下されることにより、遮光部１１２が、遮光部材１１１を移動させ、遮光状態、あるいは、受光状態に切り換える構造を有するものであってもよい。
【００２６】
受光部１０２は、遮光面１１１により覆われていない部分が照明光の方向に向けられた場合、入射する可視光を受光し、この受光した照射光を電気信号に変換して、この電気信号を復調部１０３に出力する。この受光部１０２は、例えば、フォトダイオードや、カメラにより構成することができる。
復調部１０３は、入力する電気信号に含まれる位置情報を復調して、端末制御部１０４に出力する。
端末制御部１０４は、入力する位置情報を端末通信部１０５に出力する。
端末通信部１０５は、位置情報を、通信ネットワーク５００を介して、情報提供サーバ４００に送信する。
出力部１０６は、例えば、液晶表示装置やスピーカー等の出力装置であって、情報提供サーバ４００から受信したコンテンツに応じた映像や音声を出力する。
端末記憶部１０７は、各携帯通信端末１００に対して割り当てられた識別情報である端末ID（Ｉｄｅｎｔｉｆｉｃａｔｉｏｎ）を記憶している。
【００２７】
次に、図４、５を参照して、本発明の実施の形態の情報提供システムの動作の一例について説明する。図４は、本発明の実施の形態の情報提供システムの動作を表すシーケンス図である。図５は、情報提供システムによる位置情報検出方法の一例を説明するための参考図である。
ここでは、図５に示す通り、例えば、照明装置２００ａと照明装置２００ｂとが隣同士で並んで設置されている場合について説明する。携帯通信装置１００を保持しているユーザは、照明装置２００ａからの可視光Ａを受光部１０２が受光する位置にいる。
【００２８】
図４に示す通り、情報提供サーバ４００は、各照明装置に対して、照明装置２００が設置されている位置に対応する位置情報を、照明制御装置３００に送信する（ステップＳＴ１）。照明制御装置３００は、各照明装置２００に対して位置情報を送信する（ステップＳＴ２）。
照明装置２００は、照明制御装置３００から受信した位置情報を、自身の照明記憶部２０３に格納し、位置情報として登録する（ステップＳＴ３）。
そして、照明装置２００は、位置情報により光源２０２から出射する可視光を変調して、当該変調された可視光を出射する（ステップＳＴ４）。
【００２９】
ここで、携帯通信端末１００の遮光構造１０１が受光状態となっている場合、受光部１０２は、照明装置２００ａから可視光を受光して電気信号に変換する（ステップＳＴ５）。次いで、復調部１０３が、電気信号に基づく復調して位置情報を得る（ステップＳＴ６）。そして、端末通信部１０５が、位置情報に、携帯通信端末１００の端末ＩＤを対応付けて、情報提供サーバ４００に送信する（ステップＳＴ７）。
一方、携帯通信端末１００の遮光構造１０１が遮光状態となっている場合、受光部１０２は、照明装置２００ａからの可視光を受光しないため、位置情報を取得することなく、また、情報提供サーバ４００に送信もしない。
【００３０】
そして、情報提供サーバ４００は、位置情報を受信し（ステップＳＴ８）、サーバ記憶部４０１に格納されているコンテンツテーブルを参照して、受信した位置情報に対応するコンテンツが対応付けられているかどうか検索する。検索の結果、位置情報に対応するコンテンツが得られた場合、情報提供サーバ４００は、このコンテンツを端末ＩＤが示す形態通信端末１００に対して送信する（ステップＳＴ９）。
そして、携帯通信端末１００は、情報提供サーバ４００から送信されたコンテンツを受信して、出力部１０６に出力する（ステップＳＴ１０）。
【００３１】
上述の通り、本実施形態に係る携帯通信端末１００は、ユーザの手操作により、受光状態あるいは遮光状態を切り換えることができる。これにより、ユーザは、直感的かつ簡易な方法で、照明装置２００からの位置情報の取得を拒否することができる。
一方、照明装置２００からの光を受光したとしても、位置情報を取得しないように設定することや、位置情報を取得したとしても削除するように設定することは、携帯通信端末のシステムについて、何らかの設定変更を行う必要がある。この場合、例えば、当該設定のＯＮ／ＯＦＦを選択する画面を表示して当該設定する等の操作が必要となり、ユーザに対して、煩雑で複雑な操作を要求する場合もある。しかし、本願発明に係る携帯通信端末１００を用いることにより、このような負担をユーザに課すことなく、位置情報の取得を容易に拒否することができる。
【００３２】
また、本実施形態のように、照明装置２００からの光が届く限られた範囲において、この照明装置２００からの光を受光した携帯通信端末１００にのみ、当該照明装置２００の位置を示す位置情報を取得することができる。従って、携帯通信端末１００は、この照明装置２００の光が届く範囲に存在しない限り、この位置情報を取得することができない。
このように、照明装置２００からの光に基づき位置情報を取得することにより、位置検出の精度を高めることができる。
【００３３】
なお、本実施形態では、上述の通り、照明装置２００が一般的な照明装置である例を用いて説明した。しかし、本発明はこれに限られず、例えば、デジタルサイネージ等に取り付けられた照明装置であってもよく、また、これらの組み合わせてであってもよい。
また、本発明に係る遮光構造部１０１は、液晶シャッターを用いて、遮光状態と受光状態を切り換える構成であってもよい。この場合、液晶シャッターは、開閉状態、つまり、遮光状態と受光状態において、その色が異なるため、ユーザに遮光状態であるか、あるいは、受光状態であるかを視覚的に通知することができる。
【００３４】
また、本発明に係る携帯通信端末１００は、上記遮断構成部を備えるとともに、以下のような位置や形状とすることができる。この例について、図６を参照して説明する。図６は、受光部の位置や形状の一例を説明するための図である。
図６に示す通り、例えば、受光部１０２を、ポケット等に収めた際に露出し難い位置Ｐに設けることができる。例えば、携帯通信端末１００は、ズボン、シャツ、あるいはカバンのポケット等に収められる場合が想定される。この場合、携帯通信端末１００の側部は、ポケット等から露出しやすいため、携帯通信端末１００の側部以外である位置Ｐに設置されることが好ましい。
また、受光部１０２の受光面は、ユーザの手で塞ぎやすいような形状であることが好ましく、例えば、一般的な指の平均的な太さよりも直径が小さい円等である。
【符号の説明】
【００３５】
１００・・・携帯通信端末、１０１・・・遮光構造部、１０２・・・受光部、１０２Ａ・・・受光面、１０３・・・復調部、１０４・・・端末制御部、１０５・・・端末通信部、１０６・・・出力部、１０７・・・端末記憶部、１１１・・・遮光部材、１１２・・・遮光部、２００・・・照明装置、２０１・・・変調部、２０２・・・光源、２０３・・・照明記憶部、２０４・・・照明制御部、２０５・・・受信部、３００・・・照明制御装置、４００・・・情報提供サーバ、５００・・・通信ネットワーク
【図１】
2012083287.tif 000003
【図２】
2012083287.tif 000004
【図３】
2012083287.tif 000005
【図４】
2012083287.tif 000006
【図５】
2012083287.tif 000007
【図６】
2012083287.tif 000008